(57)【特許請求の範囲】
【請求項１】
建枠を上方向並びに水平方向に複数配置して組み上げる枠組足場の建枠間に配設され、枠組足場の組み立て時に最上段の足場周囲に先行して取り付け可能な枠組足場用手摺枠であって、手摺枠の両側部には隣接する建枠の横架材に係止する係止片を、該係止片の下位には隣接する建枠の脚柱に固定する固定金具をそれぞれ備えると共に、該固定金具は建枠の脚柱を抱持可能な略Ｕ字形状の抱持片と、脚柱を抱持させた状態で抱持片の開口部を閉鎖して脚柱の抜け止めをするロック金具とから成り、前記固定金具の略Ｕ字形状の抱持片の開口部側の内面部に凸部を形成して抱持片内に嵌め入れて抱持させた脚柱が前記凸部にて係止されて仮止め可能なように構成すると共に、前記抱持片の開口部側の一対の遊端部にはロック金具を挿通させて掛け渡せるようにそれぞれに透孔を穿設する一方、前記ロック金具には基端側上部に凹部が位置するように略Ｌ字形状のガイド孔を穿設し、かつ該ガイド孔に係合させたロックピンにて摺動自在に支持し、ロック金具をガイド孔に沿って摺動させて抱持片の透孔に挿通させて抱持片の開口部を閉鎖したときには、ガイド孔基端側上部の凹部がロックピンに嵌り込んでロックが掛かるように構成したことを特徴とする枠組足場用手摺枠。
【発明の詳細な説明】
【技術分野】
【０００１】
本発明は、土木、建築等の工事現場にて、建築物の外壁等に沿って設置される枠組足場に取り付ける手摺枠に関し、特に枠組足場の組み立て時等に最上段の足場周囲に先行して取り付け可能な枠組足場用手摺枠に関する。
【背景技術】
【０００２】
土木、建築などの工事現場においては、建枠を上方向並びに水平方向に複数配置して枠組足場を構築して工事作業にあたっている。この枠組足場の組み立て、或いは解体作業時には、作業員は専ら最上段の足場の上に乗って作業を行うこととなるが、その足場周囲には安全を確保するための柱や手摺等が設置されていないことがあり、その間、作業員には転落等の危険を伴う作業を強いることとなる。
【０００３】
そこで、こうした危険を解消するために、枠組足場の組み立て、或いは解体作業時においても、最上段の足場周囲に常に手摺を先行させて（或いは残して）設置することができる、いわゆる先行手摺枠が種々提案されており、例えば、特許文献１（実公平７−３５９９７号公報）には、手摺枠の両側部に隣接する建枠の横架材に係止する係止片と、建枠の脚柱を把持して固定する固定金具とをそれぞれ備えた先行手摺枠が開示されている。
【０００４】
前記先行手摺枠の固定金具は、建枠の脚柱を把持可能なように略コ字形状に形成した把持金具を備え、該把持金具の一対の遊端部には楔状体を挿入可能なようにそれぞれに透孔を穿設して成り、この固定金具にて建枠の脚柱に固定させるときには、前記把持金具の凹部に建枠の脚柱を嵌め入れた状態で、遊端部の透孔に楔状体を金槌等で打ち込んで脚柱を把持固定させる一方、脚柱から取り外すときには、透孔に打ち込まれた楔状体をその先端側から金槌等で叩いて透孔から抜き取って固定を解除した後、脚柱から取り外すようにしている。
【先行技術文献】
【特許文献】
【０００５】
【特許文献１】実公平７−３５９９７号公報
【発明の概要】
【発明が解決しようとする課題】
【０００６】
しかしながら、上記従来装置においては、手摺枠を建枠から着脱させる際には、作業員は枠組足場の下層階側から上層階側に手を伸ばした不安定な姿勢で、手摺枠を倒れないように支えつつ、固定金具の楔状体を金槌等にてある程度の力を持って打撃操作する必要があり、例えば、作業員一人にて着脱作業を行うような場合には、作業性はあまり良くないものと懸念される。
【０００７】
本発明は上記の点に鑑み、枠組足場の組み立て時に最上段の足場周囲に先行して取り付ける手摺枠において、一人作業でも建枠への着脱作業が比較的容易で作業性に優れた枠組足場用手摺枠を提供することを課題とする。
【課題を解決するための手段】
【０００８】
上記の課題を解決するために、本発明に係る枠組足場用手摺枠では、建枠を上方向並びに水平方向に複数配置して組み上げる枠組足場の建枠間に配設され、枠組足場の組み立て時に最上段の足場周囲に先行して取り付け可能な枠組足場用手摺枠であって、手摺枠の両側部には隣接する建枠の横架材に係止する係止片を、該係止片の下位には隣接する建枠の脚柱に固定する固定金具をそれぞれ備えると共に、該固定金具は建枠の脚柱を抱持可能な略Ｕ字形状の抱持片と、脚柱を抱持させた状態で抱持片の開口部を閉鎖して脚柱の抜け止めをするロック金具とから成り、前記固定金具の略Ｕ字形状の抱持片の開口部側の内面部に凸部を形成して抱持片内に嵌め入れて抱持させた脚柱が前記凸部にて係止されて仮止め可能なように構成すると共に、前記抱持片の開口部側の一対の遊端部にはロック金具を挿通させて掛け渡せるようにそれぞれに透孔を穿設する一方、前記ロック金具には基端側上部に凹部が位置するように略Ｌ字形状のガイド孔を穿設し、かつ該ガイド孔に係合させたロックピンにて摺動自在に支持し、ロック金具をガイド孔に沿って摺動させて抱持片の透孔に挿通させて抱持片の開口部を閉鎖したときには、ガイド孔基端側上部の凹部がロックピンに嵌り込んでロックが掛かるように構成したことを特徴としている。
【発明の効果】
【０００９】
本発明に係る枠組足場用手摺枠によれば、手摺枠の両側部には建枠の横架材に係止する係止片と、建枠の脚柱に固定する固定金具とをそれぞれ備えると共に、該固定金具は建枠の脚柱を抱持可能な略Ｕ字形状の抱持片と、抱持した脚柱の抜け止め用のロック金具とから成り、前記抱持片の開口部側の内面部に凸部を形成して抱持片内に嵌め入れて抱持させた脚柱が前記凸部にて係止されて仮止め可能なように構成すると共に、前記抱持片の遊端部にはロック金具を挿通させて掛け渡せるように透孔を穿設する一方、前記ロック金具には基端側上部に凹部が位置するように略Ｌ字形状のガイド孔を穿設し、かつ該ガイド孔に係合させたロックピンにて摺動自在に支持し、ロック金具をガイド孔に沿って摺動させて抱持片の透孔に挿通させて抱持片の開口部を閉鎖したときには、ガイド孔の凹部がロックピンに嵌り込んでロックが掛かるように構成したので、比較的簡易な操作で手摺枠を建枠へ確実に固定でき、高所作業にあっても効率よくかつ安全に作業を行うことができる。
【図面の簡単な説明】
【００１０】
【図１】本発明に係る枠組足場用手摺枠の一実施例の（ｘ）正面図、（ｙ）側面図、（ｚ）平面図である。
【図２】本手摺枠の固定金具にて建枠の脚柱に固定する手順（ａ）〜（ｃ）を示す、正面視、及び平面視による説明図である。
【図３】本手摺枠を枠組足場に取り付けた状態を示す説明図である。
【発明を実施するための形態】
【００１１】
本発明に係る枠組足場用手摺枠にあっては、手摺枠の両側部には建枠の横架材に係止する係止片と、建枠の脚柱に固定する固定金具とをそれぞれ備えていると共に、該固定金具は建枠の脚柱を抱持可能な略Ｕ字形状の抱持片と、該抱持片の開口部を開閉操作するロック金具とから成る。また、前記抱持片の一対の遊端部にはロック金具を挿通させて掛け渡せるように透孔を穿設している一方、ロック金具には基端側上部に凹部が位置するように略Ｌ字形状のガイド孔を穿設し、かつ該ガイド孔に係合させたロックピンにて摺動自在に支持している。
【００１２】
そして、上記構成の手摺枠を枠組足場に取り付けるときには、先ず、手摺枠両側部の係止片を隣接する建枠の横架材にそれぞれ係止させると共に、固定金具の抱持片に建枠の脚柱を嵌め入れて抱持させ、その状態にてロック金具をガイド孔に沿って摺動操作して抱持片の各透孔に挿入して掛け渡していく。そして、ロック金具を抱持片の開口部の閉鎖が完了する終端位置まで摺動し終えたときには、ロックピンの直上に位置するガイド孔の凹部が下位のロックピンに嵌り込み、これによってロック金具の摺動動作が制止されてロックが掛かり、建枠の脚柱に確実に固定されて手摺枠の取り付け作業が完了する。
【００１３】
一方、手摺枠を枠組足場から取り外すときには、上記手順と逆の手順で行えばよく、先ず、ロック金具の基端側を軽く持ち上げてロックを解除し、その状態でロック金具を抱持片の透孔から引き抜く。そして、抱持片の開口部が完全に開放されれば、作業員は手摺枠を持ち上げて、抱持片を建枠の脚柱から、また係止片を建枠の横架材からそれぞれ離脱させ、手摺枠の取り外し作業を完了する。
【００１４】
このように、本発明の枠組足場用手摺枠によれば、固定金具の固定・解除をロック金具のワンタッチ操作で行えるため、枠組足場と手摺枠との着脱作業が比較的容易にでき、例え一人作業であっても効率よくかつ安全に作業することができる。
【実施例】
【００１５】
以下、本発明の実施例を図面に基づいて説明する。
【００１６】
図中の１は、土木、建築等の工事現場にて構築される枠組足場Ａの周囲に取り付ける枠組足場用手摺枠である。前記枠組足場Ａは、例えば、図３に示すように、脚柱Ｂ１と横架材Ｂ２とから成る略門形状の建枠Ｂを、上方向並びに水平方向に所望数配置し、隣接する各建枠Ｂの横架材Ｂ２へ足場板Ｃを掛け渡して構築している。
【００１７】
前記手摺枠１は、略逆Ｕ字形状に形成した枠体２の内方に、複数の水平管３と垂直管４を架設して成り、取り付け時や運搬時等に作業員が主に把持する前記垂直管４の外周面全体に亘って複数の浅い縦溝を刻設して滑り止め加工を施している。また、枠体２の両側部には、建枠Ｂの横架材Ｂ２に係止する係止片５と、該係止片５の下位には建枠Ｂの脚柱Ｂ１に固定する固定金具６とをそれぞれ備えている。なお、枠体２左右の固定金具６の高さ位置を若干違えて備えており、枠組足場Ａを水平方向へ連設する場合に、隣接する手摺枠１の固定金具６同士が干渉しないように図っている。
【００１８】
前記固定金具６は、枠体２の側方に突設した支持材７に、建枠Ｂの脚柱Ｂ１を抱持可能なように、平面視で略Ｕ字形状に形成した抱持片８を固着していると共に、該抱持片８の開口部９を開閉操作するロック金具１０を備えている。なお、図２に示すように、前記抱持片８にはプレス加工等によって開口部９側に凸部１１を形成しており、これによって抱持した脚柱Ｂ１の仮止めを可能として作業性を高めている。
【００１９】
また、抱持片８の開口部９両側に位置する一対の遊端部１２ａ、１２ｂには、前記ロック金具１０を挿通させて掛け渡せるように、それぞれにスリット状の透孔１３ａ、１３ｂを穿設していると共に、枠体２側の透孔１３ａは、ロック金具１０挿入時にもその下方に若干の空隙が形成されるように、他方の透孔１３ｂよりも下方側へ若干延長した形状としており、図２（ｃ）に示されるように、ロック金具１０は他方の透孔１３ｂを支点とした傾倒姿勢が可能なように構成している。
【００２０】
一方、ロック金具１０は、前記透孔１３ａ、１３ｂに挿通可能な金属製の長板材であって、その基端側上部に凹部１４ａが位置するように略Ｌ字形状のガイド孔１４を穿設していると共に、該ガイド孔１４に係合させたロックピン１５にて摺動自在に支持している。
【００２１】
そして、上記構成の手摺枠１を枠組足場Ａに取り付けるときには、先ず、手摺枠１両端部の係止片５を隣接する建枠Ｂの横架材Ｂ２にそれぞれ係止させて仮支持させた後、図２に示すように、その下位の固定金具６の抱持片８の開口部９を建枠Ｂの脚柱Ｂ１へ臨ませて、図中の矢印方向へスライドさせて建枠Ｂの脚柱Ｂ１を抱持片８内に嵌め入れて抱持させる（ａ）。
【００２２】
次いで、ロック金具１０をガイド孔１４に沿って図中の矢印方向へ摺動操作し、抱持片８の各透孔１３ａ、１３ｂに順次挿通させて掛け渡していく（ｂ）。そして、ロック金具１０をガイド孔１４の終端位置まで摺動し終えると、ロックピン１５の真上に位置するガイド孔１４の凹部１４ａがロック金具１０の自重によって下位のロックピン１５に嵌り込み（ｃ）、これに伴ってロック金具１０の摺動動作が制止されてロックが掛かり、建枠Ｂの脚柱Ｂ１に確実に固定される。
【００２３】
一方、手摺枠１を枠組足場Ａから取り外すときには、上記手順と逆の手順で行えばよく、先ず、ロック金具１０の基端側を軽く持ち上げてロックを解除し、その状態でロック金具１０を抱持片８の各透孔１３ｂ、１３ａから順次引き抜いていく。そして、抱持片８の開口部９が完全に開放された状態になれば、手摺枠１を持ち上げて、抱持片８を建枠Ｂの脚柱Ｂ１から、また係止片５を建枠Ｂの横架材Ｂ２からそれぞれ離脱させ、手摺枠１の取り外しを完了する。
【００２４】
このように、手摺枠１を枠組足場Ａへ着脱する際には、従来装置のように、それなりの重量を有する金槌等の打撃操作を必要とせず、固定金具６のロック金具１０を指先で軽く摺動操作するだけで簡単かつ確実に固定・解除が行え、不安定な高所作業において特に有効であると共に、例え一人作業を強いられる場合であっても比較的短時間で効率よく作業できる。
【符号の説明】
【００２５】
１…枠組足場用手摺枠              ２…枠体
５…係止片                        ６…固定金具
８…抱持片                        ９…開口部（抱持片）
１０…ロック金具                  １２ａ、１２ｂ…遊端部（抱持片）
１３ａ、１３ｂ…透孔              １４…ガイド孔
１４ａ…凹部                      １５…ロックピン
Ａ…枠組足場                      Ｂ…建枠
Ｂ１…脚柱（建枠）                Ｂ２…横架材（建枠）
Ｃ…足場板
【図１】
0005904633.tif 000002
【図２】
0005904633.tif 000003
【図３】
0005904633.tif 000004